(57)【要約】【構成】底板の端縁に沿って側板を略垂直に設置するとともにこの側板を前記底板の一端から突出させたラック用ユニットを一対備え、これらの一対のラック用ユニットを各々の底板が交差するように先端に向かって上がり傾斜の状態で対向させ、一のラック用ユニットにおける底板の先端縁を他のラック用ユニットにおける側板の突出部の内壁面に連設したＣＤ用ラック装置である。【効果】正面側の底板と背面側の底板とは別体となり、互いに逆方向に傾斜している。その正面側において、使用者は、ＣＤ・冊子等の余裕空間が己の利き手側に位置するように設定することによって、その背面側においても同様に設定することができるため、いずれの方向からも、ＣＤ・冊子等の出し入れの際に邪魔するものはなく、これらの作業がしやすい。  【選択図】  図１
2007137512.tif 000002
【特許請求の範囲】
【請求項１】
底板の端縁に沿って側板を略垂直に設置するとともにこの側板を前記底板の一端から突出させたラック用ユニットを一対備え、これらの一対のラック用ユニットを各々の底板が交差するように先端に向かって上がり傾斜の状態で対向させ、一のラック用ユニットにおける底板の先端縁を他のラック用ユニットにおける側板の突出部の内壁面に連設したことを特徴とするＣＤ用ラック装置。
【請求項２】
請求項１のＣＤ用ラック装置において、前記側板を前記底板に対して内側に折り畳み可能とするとともに前記一対の互いに交差する底板の対向する側面に揺動軸を掛け渡し、且つ、前記一の底板の先端縁を前記他の底板の突出部の内壁面に掛け止め自在に設置したことを特徴とするＣＤ用ラック装置。
【請求項３】
請求項１又は請求項２のＣＤ用ラック装置において、前記ラック用ユニットの前記底板を外側方向に延設するとともにこの延設した先端縁に補助板を内側に折り畳み可能の状態で略垂直に設置し、且つ、前記補助板の下端縁が前記側板の上端縁の略真下に位置するように設置するとともにこの補助板の下端縁を前記側板の上端縁に掛け止め可能としたことを特徴とするＣＤ用ラック装置。
【発明の詳細な説明】
【技術分野】
【０００１】
この発明ＣＤ用ラック装置に関し、主として、ＣＤ（コンパクトディスク）を立てかけて収容する場合に使用されるものである。また、冊子類を同様に収容する際に使用することもできる。
【背景技術】
【０００２】
従来におけるこの種のラック装置は、底板を斜めの状態に配置し、この底板の幅方向に沿って略垂直に側板を配置したものであり、使用者は、正面側から又は背面側から、ＣＤ・冊子等を前記側板に立て掛けた状態で前記底板に載置していた。このため、特別な支持具がなくてもＣＤ・冊子等が倒れることのない安定した状態で収容することができた。
【０００３】
【特許文献１】特開平１１−０３２８４５号公報
【発明の開示】
【発明が解決しようとする課題】
【０００４】
しかしながら、かかる従来のラック装置にあっては、底板が一方向へ傾斜していたため、使用者にとって、正面側と背面側とでは底板の傾斜が逆方向となり、ＣＤ・冊子等の余裕空間が反対側に位置する結果、使用者にとって利き手側にこの余裕空間のない方向からは、ＣＤ・冊子等の出し入れに手間がかかるという不都合を有した。
この発明の課題はこれらの不都合を解消することである。
【課題を解決するための手段】
【０００５】
前記課題を達成するために、この発明に係るＣＤ用ラック装置においては、底板の端縁に沿って側板を略垂直に設置するとともにこの側板を前記底板の一端から突出させたラック用ユニットを一対備え、これらの一対のラック用ユニットを各々の底板が交差するように先端に向かって上がり傾斜の状態で対向させ、一のラック用ユニットにおける底板の先端縁を他のラック用ユニットにおける側板の突出部の内壁面に連設したものである。
【０００６】
なお、請求項１のＣＤ用ラック装置において、前記側板を前記底板に対して内側に折り畳み可能とするとともに前記一対の互いに交差する底板の対向する側面に揺動軸を掛け渡し、且つ、前記一の底板の先端縁を前記他の底板の突出部の内壁面に掛け止め自在に設置設置することもできる。
【０００７】
また、請求項１又は請求項２のＣＤ用ラック装置において、前記ラック用ユニットの前記底板を外側方向に延設するとともにこの延設した先端縁に補助板を内側に折り畳み可能の状態で略垂直に設置し、且つ、前記補助板の下端縁が前記側板の上端縁の略真下に位置するように設置するとともにこの補助板の下端縁を前記側板の上端縁に掛け止め可能とすることもできる。
【発明の効果】
【０００８】
この発明に係るＣＤ用ラック装置は上記のように構成されているため、即ち、底板の端縁に沿って側板を略垂直に設置するとともにこの側板を前記底板の一端から突出させたラック用ユニットを一対備え、これらの一対のラック用ユニットを各々の底板が交差するように先端に向かって上がり傾斜の状態で対向させ、一のラック用ユニットにおける底板の先端縁を他のラック用ユニットにおける側板の突出部の内壁面に連設したため、
このラック装置における正面側の底板と背面側の底板とは別体となり、互いに逆方向に傾斜している。
【０００９】
よって、このＣＤ用ラック装置を使用すれば、その正面側において、使用者は、ＣＤ・冊子等の余裕空間が己の利き手側に位置するように設定することによって、その背面側においても同様に設定することができるため、いずれの方向からも、ＣＤ・冊子等の出し入れの際に邪魔するものはなく、これらの作業がしやすいものである。
【００１０】
また、一の底板の下方部においてその背面側に他の底板の上方部が位置しているため、一の底板の下方部に載置したＣＤ・冊子等が背面側から落下するのを防止することができる。
【００１１】
なお、請求項１のＣＤ用ラック装置において、前記側板を前記底板に対して内側に折り畳み可能とするとともに前記一対の互いに交差する底板の対向する側面に揺動軸を掛け渡し、且つ、前記一の底板の先端縁を前記他の底板の突出部の内壁面に掛け止め自在に設置設置すれば、
前記一の底板の先端縁を前記他の底板の突出部の内壁面から掛け外し、一対の側板を内側方向へ折り畳みながら前記揺動軸を中心として前記一対の底板を揺動させることによって、前記一対の側板と前記一対の底板とを重ねた状態に折り畳むことができる。このように構成すれば、コンパクトになり、収容にスペースをとらないとともに取扱がしやすいものである。
【００１２】
さらに、請求項１又は請求項２のＣＤ用ラック装置において、前記ラック用ユニットの前記底板を外側方向に延設するとともにこの延設した先端縁に補助板を内側に折り畳み可能の状態で略垂直に設置し、且つ、前記補助板の下端縁が前記側板の上端縁の略真下に位置するように設置するとともにこの補助板の下端縁を前記側板の上端縁に掛け止め可能とすれば、
このラック装置の両側に、それぞれ前記側板と前記補助板との間に空間が形成されるため、正面側および背面側からＣＤ・冊子等を収容することができるとともにこの補助板も前記側板に重ねて前記底板に折り畳むことができる。このように構成すれば、補助板を設けることによって収容空間を増やしたにもかかわらず、ラック装置自体はコンパクトを維持することができる。
【００１３】
また、一のラック装置における側板の上端縁に、他のラック装置における補助板の下端縁を掛け止めすることができるため、このラック装置を複数積み重ねて使用することができ、その使用価値が極めて向上する。
【発明を実施するための最良の形態】
【００１４】
この発明に係るＣＤ用ラック装置は、底板の端縁に沿って側板を略垂直に設置するとともにこの側板を前記底板の一端から突出させたラック用ユニットを一対備え、これらの一対のラック用ユニットを各々の底板が交差するように先端に向かって上がり傾斜の状態で対向させ、一のラック用ユニットにおける底板の先端縁を他のラック用ユニットにおける側板の突出部の内壁面に連設させること最も主要な特徴を有する。
【実施例】
【００１５】
以下、この発明の実施例を図面に基づいて説明する。
図１はこの発明に係るＣＤ用ラック装置の斜視図、図２は同装置を折り畳んだ状態の斜視図、図３はラック用ユニットの斜視図、図４は同正面図、図５は同平面図、図６は同右側面図、図７は同左側面図、図８は図５におけるVIII− VIII 線断面図、図９はこのＣＤ用ラック装置の別の使用状態図、図１０は支持具の断面図である。
【００１６】
図１において、Ａはこの発明に係るＣＤ用ラック装置、Ｂ，Ｂはこのラック装置Ａを構成する一対のラック用ユニットである。前記ＣＤ用ラック装置Ａはこの一対のラック用ユニットＢ，Ｂを互いに対向させた状態連結され、図２に示すように折り畳むことができる。このラック用ユニットＢの構造については後記する。
【００１７】
図３〜図８において、10は底板であり、長方形状をしている。この底板10は、ＣＤ，冊子等を載置するための場所を構成する。11は窓部であり、前記底板10の表面に形成されている。この窓部11は前記底板10の外形と略相似状に長手方向に延びている。
【００１８】
また、12は前記底板10の突出部であり、前記底板10の根幹部（図４および図８において右側）において、Ｌ字形を形成するように側方向に延びている（図５を参照のこと）。
【００１９】
また、前記底板10の先端の下端縁は斜面状に面取りされている。そして、その斜面部に係止凹部13が設置されている。この係止凹部13の機能は後記する。
【００２０】
次に、14は軸用穴であり、前記底板10の内側面に突設されている。この軸用穴14は、前記窓部11の略中心部（長手方向の）に位置している（図３及び図４を参照のこと）。一対のラック用ユニットＢ，Ｂが互いに対向してラックＡを構成する際に、それぞれのラック用ユニットＢ，Ｂの軸用穴14,14 が互いに接触対向し、一本の揺動軸Ｓによって揺動可能に繋がれる。
【００２１】
また、図６および図８に示すように、15は連結板であり、前記底板10の後端縁に固定されている。この連結板15は前記底板10に対して略垂直方向に延びている。16は係止溝であり、この連結板15の下端面に形成されている。前記連結板15およびこの係止溝16の機能については後記する。
【００２２】
21は揺動板であり、前記底板10における前記窓部11に内嵌めされた状態で軸22,22 を中心として揺動可能に設置されている（図８を参照のこと）。20は側板であり、この揺動板21の先端縁（軸22と反対側）に立設された状態で固定されている（図８を参照のこと）。この側板20はＣＤ，冊子等を底板10に載置したときに立てかける場所である。この側板20は前記揺動板21とともに前記軸22を中心として揺動するが、垂直状になった際にその下端縁が前記底板10の表面に衝突するため、それ以上外側方向（図８において右側方向）へは揺動しない。即ち、図８における矢印の範囲で揺動する。
【００２３】
23は係止突条であり、前記側板20の上端面に形成されている。この係止突条23は、図９に示すように、別のラックＡを積んだときに、上に位置するラックＡの前記係止溝16に嵌挿して、しっかりとした位置決めを行うためのものである。
【００２４】
次に、24は係止突起（係止用ビス）であり、前記側板20の内壁面の下方に突設されている。この係止突起（係止用ビス）24は、前記側板20における前記底板10の突出部側に位置している。ラックＡを構成した際に、この係止突起24に、互いに対向するラック用ユニットＢの前記係止凹部13が着脱可能に係止する（図１を参照のこと）。
【００２５】
なお、25,25,…は前記側板20の窓部であり、デザインを構成している。  
【００２６】
次に、30は補助板であり、その下端縁には連結凹部31が形成されている（図６を参照のこと）。そして、図６に示すように、この連結凹部31に前記底板10の連結板15に外嵌めされた状態で、前記補助板30は、軸32を中心として矢印方向（図８において）を揺動する。なお、前記補助板30が、垂直状になった際にその下端縁が前記底板10の後端縁に衝突するため、それ以上外側方向（図８において右側方向）へは揺動しない。即ち、図８における、矢印の範囲で揺動する。33,33,…は前記側板20の窓部であり、デザインを構成している。  
【００２７】
ＣＤ用ラック装置Ａは、前記したるラック用ユニットＢを一対用意して、図１に示すように、互いに対向させ、それぞれのラック用ユニットＢ，Ｂの軸用穴14,14 を互いに接触対向させ、一本の揺動軸Ｓを揺動可能に嵌挿し、底板10,10 の係止凹部13,13 を対向する側板20,20 の係止突起（係止用ビス）24,24 に掛け止めすることによって構成される。
【００２８】
ＣＤ用ラック装置Ａはこのように構成されているため、図２に示すように、各々のラック用ユニットＢ，Ｂにおける底板10,10 の係止凹部13を対向する側板20,20 の係止突起（係止用ビス）24,24 から外し、一対の補助板30,30 を軸32,32 を中心にして、および、一対の側板20,20 を軸22,22 を中心にして、それぞれ内側方向へ折り畳みながら前記揺動軸Ｓを中心として前記一対の底板10,10 を折り畳む方向にに揺動させることによって、前記一対の側板20,20 と  前記一対の補助板30,30 と前記一対の底板10,10 とを重ねた状態に折り畳むことができる。
なお、図９において、50はＣＤ用ラック装置Ａを安定良く設置するための支持具である。この支持具50は、支持板51の周縁に長方形状の枠板52が付いている。ＣＤ用ラック装置Ａは、図のようにこの枠板52内に載置される。なお、図１０に示されるように、前記支持具50は回転台53に回転軸54を介して回転自在に支持されている。55はベアリング、56,56,…は脚部（ゴム製の脚部）である。図においては、ＣＤ用ラック装置Ａを複数積み上げた状態を図示したが、勿論、単独で使用する場合にも支持具50として使用することができる。
【産業上の利用可能性】
【００２９】
底板が斜めに設置されたＣＤ用ラック装置において、使用者の正面側および背面側から同様の状態で使用する場合に利用できる。同ラック装置において、折り畳んでコンパクトにすることによってスペースをとらないで収容する場合に利用できる。
【図面の簡単な説明】
【００３０】
【図１】図１はこの発明に係るＣＤ用ラック装置の斜視図である。
【図２】図２は同装置を折り畳んだ状態の斜視図である。
【図３】図３はラック用ユニットの斜視図である。
【図４】図４は同正面図である。
【図５】図５は同平面図である。
【図６】図６は同右側面図である。
【図７】図７は同左側面図である。
【図８】図８は図５におけるVIII− VIII 線断面図である。
【図９】図９はこのＣＤ用ラック装置の別の使用状態図である。
【図１０】図１０は支持具の断面図である。
【符号の説明】
【００３１】
Ａ  …  ＣＤ用ラック装置
Ｂ  …  ラック用ユニット
Ｓ  …  揺動軸
10  …  底板
11  …  窓部（底板の）
12  …  底板の突出部
13  …  係止凹部
14  …  軸用穴
15  …  連結板
16  …  係止溝
20  …  側板
21  …  揺動板
22  …  軸（揺動板の）
23  …  係止突条
24  …  係止突起（係止用ビス）
25  …  窓部（側板の）
30  …  補助板
31  …  連結凹部
32  …  軸（補助板の）
33  …  窓部（補助板の）
50  …  支持具
51  …  支持板
52  …  枠板（支持板の）
53  …  回転台
54  …  回転軸
55  …  ベアリング
56  …  脚部（ゴム製の脚部）
【図１】
2007137512.tif 000003
【図２】
2007137512.tif 000004
【図３】
2007137512.tif 000005
【図４】
2007137512.tif 000006
【図５】
2007137512.tif 000007
【図６】
2007137512.tif 000008
【図７】
2007137512.tif 000009
【図８】
2007137512.tif 000010
【図９】
2007137512.tif 000011
【図１０】
2007137512.tif 000012